(57)【要約】【課題】複数の植木鉢から流れ落ちる水を容易に回収廃棄することができる植木鉢台を提供する。【解決手段】３本の支柱パイプ１ａ，１ｂ，１ｃの上端部には、３個の受皿部２ａ，２ｂ，２ｃがそれぞれ接続されている。これらの受皿部２ａ〜２ｃの上にはそれぞれ植木鉢の鉢部分を受け入れる３個の鉢容器３ａ，３ｂ，３ｃが固定されている。支持台４は、支柱パイプ１ａ〜１ｃ部を支持するとともに、鉢容器３ａ〜３ｃから支柱パイプ１ａ〜１ｃの中空流路を介して流れ落ちる水を回収する水回収容器７を内蔵している。植木鉢から水回収容器７に至る水通路を形成するために、３本の支柱パイプ１ａ〜１ｃの中空流路はそれぞれ３個の鉢容器３ａ〜３ｃの底部、及び水回収容器７に連通している。【選択図】図２
0003221897.tif 000002
【実用新案登録請求の範囲】
【請求項１】
中空流路を有する複数の支柱パイプと、
複数の支柱パイプの上端部にそれぞれ接続された複数の受皿部と、
複数の受皿部上にそれぞれ固定され植木鉢の鉢部分を受け入れる複数の鉢容器と、
複数の支柱パイプの下端部を支持し、前記鉢容器から前記支柱パイプの中空流路を介して流れ落ちる水を回収する出し入れ自在の水回収容器を内蔵する支持台と、を備え、
前記複数の支柱パイプの中空流路はそれぞれ前記複数の鉢容器の底部と、前記水回収容器に連通していることを特徴とする植木鉢台。
【請求項２】
前記受皿部の底板と前記鉢容器の底板とを重ね合わせてなる重ね合わせ部と、
前記重ね合わせ部の中央付近に開口された第１のボルト挿通孔と、
前記第１のボルト挿通孔を通して前記支柱パイプの内面螺子部に螺子合し、前記重ね合わせ部と前記支柱パイプとを締結する第１の中空ボルトと、を備えることを特徴とする請求項１に記載の植木鉢台。
【請求項３】
前記重ね合わせ部に凹部が設けられ、この凹部に前記第１のボルト挿通孔が開口されており、前記中空ボルトの頭部上面が前記重ね合わせ部上面により低くなっていることを特徴とする請求項２に記載の植木鉢台。
【請求項４】
前記支持台の天板に設けられた天板凹部と、
前記天板凹部に開口された第２のボルト挿通孔と、
前記天板凹部に埋設され、支持パイプ挿入孔を有し前記支持パイプを固定するパイプ固定金具と、
前記第２のボルト挿通孔を通して、前記支持パイプ挿入孔に挿入された前記支柱パイプの内面螺子部に螺子合し、前記天板と前記支柱パイプとを締結する第２の中空ボルトと、を備えることを特徴とする請求項１乃至３のいずれかに記載の植木鉢台。
【考案の詳細な説明】
【技術分野】
【０００１】
本考案は、複数の植木鉢を載置し、それらの植木鉢から流れ落ちる水を容易に回収することができる植木鉢台に関する。
【背景技術】
【０００２】
一般に、植木鉢は受皿に載置されており、受皿は植木鉢から流れ落ちる水を貯留するようになっている。そして、植木鉢に入れてある草花や植木の根腐れや、悪臭の発生を防止するために、受皿に溜まった水を廃棄していた。
【先行技術文献】
【特許文献】
【０００３】
【特許文献１】実開平６−４１５６６号公報
【考案の概要】
【考案が解決しようとする課題】
【０００４】
しかしながら、植木鉢が多数ある場合などは、多くの受皿を廃棄場所まで運ばなければならないなどで廃棄作業が甚だ面倒であり、特に屋内で植木観賞を楽しむためには大変に不便であった。
【０００５】
また、受皿に溜まった水が零れ落ちるとか、時間の経過とともに悪臭を発生し、不衛生でもあるといった問題もあった。
【課題を解決するための手段】
【０００６】
上述の課題に鑑み、本考案による植木鉢台は、中空流路を有する複数の支柱パイプと、複数の支柱パイプの上端部にそれぞれ接続された複数の受皿部と、複数の受皿部上にそれぞれ固定され植木鉢の鉢部分を受け入れる複数の鉢容器と、複数の支柱パイプの下端部を支持し、前記鉢容器から前記支柱パイプの中空流路を介して流れ落ちる水を回収する出し入れ自在の水回収容器を内蔵する支持台と、を備え、前記複数の支柱パイプの中空流路はそれぞれ前記複数の鉢容器の底部と、前記水回収容器に連通していることを特徴とするものである。
【考案の効果】
【０００７】
本考案の植木鉢台によれば、植木鉢から落下してくる水を、支柱パイプを通して支持台に内蔵された１個の水回収容器にまとめて回収するようにしたので、複数の植木鉢から流れ落ちる水を容易に回収廃棄することができる。
【０００８】
また、受皿部や鉢容器には植木鉢からの水が溜まることはなく、水回収容器は支持台に内蔵してあるので、溜まった水が零れ落ちるとか、その悪臭が外部に漏れ出るといったことはなく、非常に衛生的でもある。
【０００９】
本考案の植木鉢台は、特に屋内観賞用の植木鉢台として適したものである。
【図面の簡単な説明】
【００１０】
【図１】本考案の実施形態における植木鉢台の平面図である。
【図２】本考案の実施形態における植木鉢台の正面図である。
【図３】図１のＡ−Ａ線における断面図である。
【図４】図３の部分拡大図である。
【図５】支柱パイプと支持台の接続構造を示す部分断面図である。
【考案を実施するための形態】
【００１１】
以下、本考案の実施形態における植木鉢台１００を図１〜５に基づいて説明する。
【００１２】
＜植木鉢台１００の全体構成＞
図１及び図２に示すように、この植木鉢台１００は植木鉢（図示しない）から落
下してくる水を、支柱パイプ１ａ，１ｂ，１ｃを通して支持台に内蔵された１個の
水回収容器４にまとめて回収するようにしたものである。ここで、支柱パイプ１ａ
〜１ｃのパイプ内部空間が中空流路になっている。
【００１３】
３本の支柱パイプ１ａ，１ｂ，１ｃの上端部には、３個の受皿部２ａ，２ｂ，２ｃが接続されている。これらの受皿部２ａ〜２ｃの上にはそれぞれ植木鉢の鉢部分を受け入れる３個の鉢容器３ａ，３ｂ，３ｃが固定されている。鉢容器３ａ，３ｂ，３ｃは有底円筒状体の形状をなしており、その上方開口部から植木鉢を受け入れるようになっている。
【００１４】
支持台４は、中空円筒状体に天板５と底板６を設けたもので、その天板５で支柱パイプ１ａ〜１ｃの下端部を支持するとともに、鉢容器３ａ〜３ｃから支柱パイプ１ａ〜１ｃの中空流路を介して流れ落ちる水を回収する水回収容器７を内蔵している。水回収容器７には取手８が取り付けられており、支持台４の側面部からの出し入れが自在に構成されている。支持台４の側面下部には転倒防止用の４本の脚部９が設けられている。
【００１５】
この場合、植木鉢から水回収容器７に至る水通路を形成するために、３本の支柱パイプ１ａ〜１ｃの中空流路はそれぞれ３個の鉢容器３ａ〜３ｃの底部、及び水回収容器７に連通している。また、支柱パイプ１ａ〜１ｃは、ストレート形状や曲がった形状を組み合わせることで樹木を模した形態に成形するとともに、受皿部２ａ〜２ｃが段違いになるように長さを設定することにより、美観やデザイン性を高めることができる。
【００１６】
このように、３個の植木鉢から落下してくる水を、３本の支柱パイプ１ａ〜１ｃを通して１個の水回収容器７にまとめて回収するようにしたので、３個の植木鉢から流れ落ちる水を容易に回収廃棄することができる。また、受皿部２ａ〜２ｃや鉢容器３ａ〜３ｃには植木鉢から落ちる水が溜まることはなく、水回収容器７は支持台４に内蔵してあるので、溜まった水が零れ落ちるとか、その悪臭が外部に漏れ出るといったことはなく、非常に衛生的でもある。本考案の植木鉢台は、特に屋内観賞用の植木鉢台として適したものである。  
【００１７】
なお、支柱パイプの本数は３本に限られることはなく、複数本設け、それに応じた数の受皿部及び鉢容器を設けることができる。
【００１８】
＜支柱パイプとの受皿部等の接続構造＞
次に、図３及び図４に基づいて、支柱パイプ１ａ〜１ｃと、受皿部２ａ〜２ｃ及び、鉢容器３ａ〜３ｃとの接続構造を説明する。以下、支柱パイプ１ａの接続構造を説明するが、残りの支柱パイプ１ｂ，１ｃについても同様になっている。図３は図１のＡ−Ａ線における断面図、図４は図３の接続部の拡大図である。
【００１９】
支柱パイプ１の上端部は、受皿部２ａに溶接することもできるが、それでは、それぞれを分解して運搬することができないので、以下に説明するように、分解・組立可能に構成することで、各構成部分を分解した状態で運搬し、現場にて組み立てることができる。
【００２０】
図示のように、受皿部２ａの底板の上に鉢容器３ａの底板が重ね合わされ、重ね合わせ部１０が形成される。この重ね合わせ部１０の中央付近に第１のボルト挿通孔１１が形成される。そして、この第１のボルト挿通孔１１に第１の中空ボルト１２を通して、支柱パイプ１ａの上端部の内面螺子部１３に螺子合させることで、重ね合わせ部１０と支柱パイプ１ａとを締結する。これにより、第１のボルト挿通孔１１の周りの重ね合わせ部１０の周端は、支柱パイプ１ａの上端面と第１の中空ボルト１２の頭部の間に挟持されるようになっている。第１の中空ボルト１２というのは、軸方向に貫通した中空部を有するボルトであり、この中空部が水通路になっている。
【００２１】
この場合、重ね合わせ部１０に下方に窪んだ凹部１４を設け、この凹部１４に第１のボルト挿通孔１１を開口し、第１の中空ボルト１２の頭部上面が重ね合わせ部１０の上面により低くなるように構成することで、植木鉢から落ちる水は鉢容器３ａの底部に滞留することなく、速やかに支柱パイプ１ａの中空流路に流れ落ちるようになっている。
【００２２】
＜支柱パイプと支持台の接続構造＞
次に、図５に基づいて、支柱パイプ１ａ〜１ｃと支持台４の接続構造を説明する。以下、支柱パイプ１ａの接続構造を説明するが、残りの支柱パイプ１ｂ，１ｃについても同様になっている。
【００２３】
図５に示すように、支持台４の天板５には下方に窪んだ天板凹部２１が設けられ、この天板凹部２１に第２のボルト挿通孔２２が開口されていている。支持パイプ１ａの下端部を固定するためのパイプ固定金具２３は天板凹部２１に埋設されている。このパイプ固定金具２３は、支持パイプ１ａを挿入して支持するための支持パイプ挿入孔２４を有している。
【００２４】
支持パイプ１ａは上方から支持パイプ挿入孔２４に挿入される。そして、第２の中空ボルト２５は、天板凹部２０の裏面側から第２のボルト挿通孔２２を通して、支柱パイプ１ａの内面螺子部２６に螺子合することで、天板５と支柱パイプ１ａとを締結している。第２の中空ボルト２５の下方には水回収容器７が配置される。
【００２５】
支持パイプ１ａを通して落下する水は、第２の中空ボルト２５を通って水回収容器７の中に落下し、回収されるようになっている。上述の接続構造についても、各構成部分を分解した状態で運搬し、現場にて組み立てることができる。
【符号の説明】
【００２６】
１ａ〜１ｃ  支持パイプ
２ａ〜２ｃ  受皿部
３ａ〜３ｃ  鉢容器
４  支持台
５  天板
６  底板
７  水回収容器
８  取手
９  脚部
１０  重ね合わせ部
１１  第１のボルト挿通孔
１２  第１の中空ボルト
１３  内面螺子部
１４  凹部
２１  天板凹部
２２  第２のボルト挿通孔
２３  パイプ固定金具
２４  支持パイプ挿入孔
２５  第２の中空ボルト
２６  内面螺子部
【図１】
0003221897.tif 000003
【図２】
0003221897.tif 000004
【図３】
0003221897.tif 000005
【図４】
0003221897.tif 000006
【図５】
0003221897.tif 000007
【手続補正書】
【提出日】平成31年4月24日(2019.4.24)
【手続補正１】
【補正対象書類名】実用新案登録請求の範囲
【補正対象項目名】請求項４
【補正方法】変更
【補正の内容】
【請求項４】
前記支持台の天板に設けられた天板凹部と、
前記天板凹部に開口された第２のボルト挿通孔と、
前記天板凹部に埋設され、支柱パイプ挿入孔を有し前記支柱パイプを固定するパイプ固定金具と、
前記第２のボルト挿通孔を通して、前記支柱パイプ挿入孔に挿入された前記支柱パイプの内面螺子部に螺子合し、前記天板と前記支柱パイプとを締結する第２の中空ボルトと、を備えることを特徴とする請求項１乃至３のいずれかに記載の植木鉢台。
【手続補正２】
【補正対象書類名】明細書
【補正対象項目名】００２３
【補正方法】変更
【補正の内容】
【００２３】
図５に示すように、支持台４の天板５には下方に窪んだ天板凹部２１が設けられ、この天板凹部２１に第２のボルト挿通孔２２が開口されていている。支柱パイプ１ａの下端部を固定するためのパイプ固定金具２３は天板凹部２１に埋設されている。このパイプ固定金具２３は、支柱パイプ１ａを挿入して支持するための支柱パイプ挿入孔２４を有している。
【手続補正３】
【補正対象書類名】明細書
【補正対象項目名】００２４
【補正方法】変更
【補正の内容】
【００２４】
支柱パイプ１ａは上方から支柱パイプ挿入孔２４に挿入される。そして、第２の中空ボルト２５は、天板凹部２０の裏面側から第２のボルト挿通孔２２を通して、支柱パイプ１ａの内面螺子部２６に螺子合することで、天板５と支柱パイプ１ａとを締結している。第２の中空ボルト２５の下方には水回収容器７が配置される。
【手続補正４】
【補正対象書類名】明細書
【補正対象項目名】００２５
【補正方法】変更
【補正の内容】
【００２５】
支柱パイプ１ａを通して落下する水は、第２の中空ボルト２５を通って水回収容器７の中に落下し、回収されるようになっている。上述の接続構造についても、各構成部分を分解した状態で運搬し、現場にて組み立てることができる。
【手続補正５】
【補正対象書類名】明細書
【補正対象項目名】００２６
【補正方法】変更
【補正の内容】
【００２６】
１ａ〜１ｃ  支柱パイプ
２ａ〜２ｃ  受皿部
３ａ〜３ｃ  鉢容器
４  支持台
５  天板
６  底板
７  水回収容器
８  取手
９  脚部
１０  重ね合わせ部
１１  第１のボルト挿通孔
１２  第１の中空ボルト
１３  内面螺子部
１４  凹部
２１  天板凹部
２２  第２のボルト挿通孔
２３  パイプ固定金具
２４  支柱パイプ挿入孔
２５  第２の中空ボルト
２６  内面螺子部